(57)【要約】【課題】  節水性を向上させ、適当な水勢の水を手洗い器に供給でき、設備状態にあるケース内の清掃及び保守管理を容易に行う。【解決手段】  ケース２内部に、水道源側管路Ｗに接続される一次配管３と、便器側管路Ｔに接続される二次配管４と、手洗い器５と、導水管６とを有し、ケース２内で一次配管３と二次配管４とが便器側バルブ９を介して接続され、導水管６の途中に手洗い器側バルブ１０が介設されている手洗いユニット１において、ケース２の前面板が固定板７により形成され、ケース２の後面板が開閉自在な開閉板８により形成され、固定板７には便器側操作ボタン１１Ａが突出される便器側操作孔１３Ａと、手洗い器側操作ボタン１２が突出される手洗い器側操作孔１４と、手洗い口１５とが形成され、開閉板８には、便器側バルブ９を作動させる便器側操作ボタンが突出される便器側操作孔が形成されている。【選択図】    図１
2005160509.tif 000002
【特許請求の範囲】
【請求項１】
密閉箱型ケースの内部に、ケース外の水道源側管路に接続される一次配管と、ケース外の便器側管路に接続される二次配管と、手洗い器と、前記一次配管と前記手洗い器とを接続させる導水管と、を有し、
前記ケースの内部において、前記一次配管と前記二次配管とが便器側バルブを介して導水接続されており、前記導水管の途中には手洗い器側バルブが介設されている手洗いユニットにおいて、
前記ケースの前面板（又は後面板）は、固定構造とされた固定板により形成され、該ケースの後面板（又は前面板）は、開閉自在とされる扉構造とされるとともに閉鎖状態において施錠されるように施錠装置が設けられた開閉板により形成され、
前記固定板には、押動操作により、前記一次配管からの水を前記二次配管に流すための前記便器側バルブを作動させる便器側操作ボタンが突出される便器側操作孔と、押動操作により、前記一次配管からの水を前記手洗い器に流すための前記手洗い器側バルブを作動させる手洗い器側操作ボタンが突出される手洗い器側操作孔と、前記手洗い器内に手を差し入れることができる手洗い口と、が形成され、
前記開閉板には、押動操作により、前記一次配管からの水を前記二次配管に流すための前記便器側バルブを作動させる便器側操作ボタンが突出される便器側操作孔が形成されていることを特徴とする手洗いユニット。
【請求項２】
前記一次配管と前記二次配管とのあいだに設けられ、該二次配管から前記便器側管路への給水量を調節させる便器側バルブと、
前記導水管に設けられ、前記一次配管から前記手洗い器への給水量を調節させる手洗い器側バルブと、を備え、該導水管は、前記便器側バルブの上流側における前記一次配管に接続されていることを特徴とする請求項１に記載の手洗いユニット。
【請求項３】
前記ケースの内部にペーパーホルダーを有し、前記固定板には、該ペーパーホルダーからペーパーを引き出すためのペーパー引出口が形成され、該ペーパーホルダー内のロールペーパーは、前記開閉板を開放させた状態で補充可能とされ、前記ペーパー引出口からは取り出し不能としたことを特徴とする請求項１又は２に記載の手洗いユニット。
【請求項４】
請求項１乃至３のいずれか１つに記載の手洗いユニットが、建造物の室内と廊下を仕切る壁に形成した貫通開口内に埋め込まれて固定されており、室内側に前記ケースの固定板が表出し、廊下側に該ケースの開閉板が開閉自在に表出していることを特徴とする手洗いユニット装置。
【発明の詳細な説明】
【技術分野】
【０００１】
本発明は、トイレ或いはトイレを内部に有する室内に設けられる手洗い器を備えた手洗いユニットに関する。
【背景技術】
【０００２】
一般に、トイレなどに設置される手洗い器は、トイレの内壁面に突設され、上方に内壁面から水道管を突出させ、該水道管の先端に蛇口が設けられ、さらに、手洗い器の排出口に内壁面から突出した排水管を接続させているものであった。
【０００３】
しかし、上記のような手洗い器では、手洗い器，水道管，排水管などがトイレの内壁面から露出しており、手洗い器，水道管，排水管が取り外されたり破壊されたりすることがあった。また、使用者が手洗い器の水を流し続けたりすることなどもあった。
【０００４】
そこで、下記特許文献１に開示されるような手洗い装置が考えられている。この手洗い装置は、ケースの前面板に開口が形成され、ケース内におけるこの開口の箇所に手洗い器が設けられている。そして、ケース内の残余スペースに、水道源から便器へと連通している主管路と、この主管路から分岐して前記手洗い器に接続されている補助管路とが配設されている。ケースの前面板及び又は後面板には、主管路から補助管路へ分岐する分岐部の上流側に介在するバルブを作動させる操作ボタンが設けられている。このユニット化された手洗い装置は、トイレの内壁に埋め込んで設置される。
【特許文献１】特開２００２−３４８０６号公報
【発明の開示】
【発明が解決しようとする課題】
【０００５】
しかしながら、上記特許文献１に開示の手洗い装置では、ケースの前面板及び又は後面板に設けられている操作ボタンが、配管の分岐部より上流側（水道源側）に設けられているバルブを作動させるため、操作ボタンを押動操作させた場合、手洗い器と便器との両方に水が流れてしまい、どちらか一方だけに水を流すということができなかった。例えば、手洗い器のみに水を流したい場合でも強制的に便器にも水が流れてしまい、水道水の浪費となっていた。また、手洗い器に水を流す補助管路の水勢が便器に水を流す主管路の水勢より劣るため、手洗い器に流れる水に適当な水勢が得られないことがあった。したがって、手洗い器の吐水が脆弱なものになってしまう可能性があった。
【０００６】
さらに、この手洗い装置は、主管路，補助管路などの配管がケース内に収まっているユニット構造であり略密閉されているため、一度設備工事を行うとケース内の清掃や保守管理が困難であった。
【０００７】
そこで本発明は、上記問題点を解消するために、手洗い器と便器とに別々に水を流すことで節水性を向上させ、適当な水勢の水を手洗い器に供給でき、さらに、設備状態にあるケース内の清掃及び保守管理を容易に行うことが可能な手洗いユニット及び手洗いユニット装置を提供することを目的としている。
【課題を解決するための手段】
【０００８】
次に、上記の課題を解決するための手段を、実施の形態に対応する図面を参照して説明する。
本発明の請求項１に記載の手洗いユニットは、密閉箱型ケース２の内部に、ケース外の水道源側管路Ｗに接続される一次配管３と、ケース外の便器側管路Ｔに接続される二次配管４と、手洗い器５と、前記一次配管３と前記手洗い器５とを接続させる導水管６と、を有し、
前記ケース２の内部において、前記一次配管３と前記二次配管４とが便器側バルブ９を介して導水接続されており、前記導水管６の途中には手洗い器側バルブ１０が介設されている手洗いユニット１において、
前記ケース２の前面板（又は後面板）は、固定構造とされた固定板７により形成され、該ケース２の後面板（又は前面板）は、開閉自在とされる扉構造とされるとともに閉鎖状態において施錠されるように施錠装置１６が設けられた開閉板８により形成され、
前記固定板７には、押動操作により、前記一次配管３からの水を前記二次配管４に流すための前記便器側バルブ９を作動させる便器側操作ボタン１１Ａが突出される便器側操作孔１３Ａと、押動操作により、前記一次配管３からの水を前記手洗い器５に流すための前記手洗い器側バルブ１０を作動させる手洗い器側操作ボタン１２が突出される手洗い器側操作孔１４と、前記手洗い器５内に手を差し入れることができる手洗い口１５と、が形成され、
前記開閉板８には、押動操作により、前記一次配管３からの水を前記二次配管４に流すための前記便器側バルブ９を作動させる便器側操作ボタン１１Ｂが突出される便器側操作孔１３Ｂが形成されていることを特徴とする。
【０００９】
このような構成によれば、一次配管３，二次配管４，手洗い器５など手洗い装置を構成する主要部が箱型のケース２内に収まっていることによって手洗い装置をユニット化することが可能となる。また、手洗い器側操作ボタン１２と便器側操作ボタン１１Ａ，１１Ｂとをそれぞれ設けることによって手洗い器５と便器とに別々に水を流すことが可能となる。さらに、上流側となる水道源側管路Ｗに接続される一次配管３から手洗い器５に給水されることによって手洗い器５に適当な水勢の水を供給することが可能となる。また、開閉板８側に便器側操作ボタン１１Ｂを設けることによってケース２の後面側からの操作で便器に水を流すことが可能となる。
【００１０】
請求項２に記載の手洗いユニットは、前記一次配管３と前記二次配管４とのあいだに設けられ、該二次配管４から前記便器側管路Ｔへの給水量を調節させる便器側バルブ９と、
前記導水管６に設けられ、前記一次配管３から前記手洗い器５への給水量を調節させる手洗い器側バルブ１０と、を備え、該導水管６は、前記便器側バルブ９の上流側における前記一次配管３に接続されていることを特徴とする。
【００１１】
このような構成によれば、手洗い器５への給水量と便器側管路Ｔへの給水量とをそれぞれ調節することが可能となる。したがって、手洗い器５と便器とのそれぞれに供給される水量を調節することが可能となる。また、導水管が一次配管に接続されていることによって手洗い器に供給される水に強力な水勢を得ることが可能となる。
【００１２】
請求項３に記載の手洗いユニットは、前記ケース２の内部にペーパーホルダー１９を有し、前記固定板７には、該ペーパーホルダー１９からペーパーを引き出すためのペーパー引出口２０が形成され、該ペーパーホルダー内のロールペーパーは、前記開閉板８を開放させた状態で補充可能とされ、前記ペーパー引出口２０からは取り出し不能としたことを特徴とする。
【００１３】
このような構成によれば、ペーパーホルダー１９をケース２の外部に露出させることなく設けることが可能となる。また、ケース２の後面側からロールペーパーを補充することが可能となる。
【００１４】
請求項４に記載の手洗いユニット装置は、請求項１乃至３のいずれか１つに記載の手洗いユニットが、建造物の室内と廊下を仕切る壁に形成した貫通開口内に埋め込まれて固定されており、室内側に前記ケース２の固定板７が表出し、廊下側に該ケース２の開閉板８が開閉自在に表出していることを特徴とする。
【００１５】
このような構成によれば、一次配管３，二次配管４，手洗い器５などを建造物の壁面に露出させることなく手洗いユニット１を設置させることが可能となる。また、手洗いユニット１を廊下側から清掃及び保守管理することが可能となる。
【発明の効果】
【００１６】
本発明による請求項１に記載の手洗いユニットによれば、一次配管，二次配管，手洗い器など手洗い装置を構成する主要部が箱型のケース内に収まっていることによって手洗い装置をユニット化することが可能となる。これにより、一次配管，二次配管，手洗い器などが取り外されたり破壊されたりすることを防止することができる。また、手洗い器側操作ボタンと便器側操作ボタンとをそれぞれ設けることによって手洗い器と便器とに別々に水を流すことが可能となる。これにより、不要な放水を抑えることができ、節水性を向上させることができる。さらに、手洗い器への給水が一次配管から行われることによって上流側（水道源側）から手洗い器へ給水されることとなり、手洗い器に供給される水に適当な水勢を得ることが可能となる。これにより、手洗い器からの吐水が脆弱になることを防止することができる。また、ケースの後面板（又は前面板）に開閉板が設けられることによってケース内の清掃及び保守管理を容易に行うことができる。さらに、この開閉板側に便器側操作ボタンを設けることによってケースの前面側と後面側とのどちら側からの操作でも便器に水を流すことが可能となる。
【００１７】
請求項２に記載の手洗いユニットによれば、手洗い器への給水量と便器側管路への給水量とをそれぞれ調節することが可能となる。これにより、手洗い器と便器とのそれぞれに供給される水量を調節することができる。したがって、手洗い器と便器とのそれぞれに適当な水勢の水を流すことができる。
特に、導水管が一次配管に接続されていることによって手洗い器に供給される水に強力な水勢を得ることが可能となり、手洗い器の吐水が脆弱になることを防止できる。
【００１８】
請求項３に記載の手洗いユニットによれば、ペーパーホルダーをケース外に露出させることなく設けることが可能となる。これにより、ペーパーホルダーが取り外されたり破壊されたりすることを防止することができる。また、ケースの後面側からロールペーパーを補充することが可能となる。
【００１９】
請求項４に記載の手洗いユニット装置によれば、一次配管，二次配管，手洗い器などを建造物の壁面に露出させることなく手洗いユニットを設置させることが可能となる。また、この手洗いユニットを室外となる廊下側から清掃及び保守管理することが可能となる。
【発明を実施するための最良の形態】
【００２０】
以下、本発明の実施の形態を図面を参照して具体的に説明する。
図１は本発明による手洗いユニットの一実施の形態の外観及び内部を示す斜視図、図２は本発明による手洗いユニットの一実施の形態の配管図、図３は本発明による手洗いユニットの一実施の形態の室内側からの斜視図、図４は同室外側からの斜視図、図５は図４における開閉板を開けた状態を示す部分斜視図である。
【００２１】
この実施の形態の手洗いユニット１は、トイレの内壁Ａに埋め込んで設置される。
図１に示すように、この手洗いユニット１は、箱型のケース２の内部に、一次配管３，二次配管４，手洗い器５，ペーパーホルダー１９などの主要部がコンパクトに組み込まれた構成となっている。
【００２２】
まず、この手洗いユニット１を構成している主要部について説明する。
図２に示すように、ケース２の内部には、一次配管３と二次配管４とが配設されている。一次配管３は、水道源からケース２内に給水させるための水道源側管路Ｗ（図示しない）に接続されている。二次配管４は、ケース２外に設けられている便器へ放水させるための便器側管路Ｔ（図示しない）に接続されている。一次配管３と二次配管４とは、ケース２内において便器側バルブ９を介して接続されている。一次配管３には、手洗い器側バルブ１０を介して該一次配管３から手洗い器５へ導水接続させる導水管６が分岐して設けられている。また、一次配管３には、ケース２内に供給される水量を開閉調節させる手動バルブ２３が設けられている。
【００２３】
便器側バルブ９は、本実施の形態では、フラッシュバルブが使用されている。便器側バルブ９は、後述するケース２の前面板及び後面板にそれぞれ１つずつ設けられる便器側操作ボタン１３Ａ，１３Ｂと接続管１８Ａ，１８Ｂを介して接続されている。そして、便器側操作ボタン１１Ａ，１１Ｂの押動操作によって、接続管１８Ａ，１８Ｂ内を圧力水が流れて便器側バルブ９の弁を開放させる。
なお、本実施の形態では、便器側バルブ９にはフラッシュバルブを使用しているが、これに限らず電磁バルブや電動バルブなど他のバルブを使用してもよい。
【００２４】
手洗い器側バルブ１０は、トイレの室内側となるケース２の前面板（又は後面板）に設けられる手洗い器側操作ボタン１４と直結され、該手洗い器側操作ボタン１４の押動操作によって、手洗い器側バルブ１０の弁を直接開放させる。
【００２５】
手洗い器５は、図１に示すように、略矩形の箱型に形成されている。手洗い器５の前面部には手洗い部５ａが開口形成されている。手洗い器５の上部には吐水口２５が設けられており、給水管２６を介して手洗い器側バルブ１０へと接続されている。また、手洗い器５の下方には排水口が設けられており、臭気止めのためのＳ字トラップ２２よりなる手洗い排水管を介して、ケース２外に配設されている排水管へと接続されている。
【００２６】
ペーパーホルダー１９は、図１に示すように、ケース２内の下方に設けられている。本実施の形態では、ロールペーパー用のペーパーホルダーが用いられ、ケース２の室内側となる前面板（又は後面板）の裏面に固設されている。このペーパーホルダー１９は、通常使用される向きと反対を向いており、ペーパーホルダー１９に設置されたロールペーパーは、ケース２の室内側の方向へ引っ張られる。
【００２７】
次に、上述した手洗いユニット１の主要部が収納されるケース２について説明する。
図３及び図４に示すように、ケース２は、略矩形の密閉箱型に形成されている。このケース２の室内側となる前面板は、ケース２の周囲を形成している板に少なくとも一部が溶着などにより固定された固定板７によって構成されている。また、ケース２の室外側となる後面板は、開閉自在の扉状に設けられている開閉板８によって構成されている。
【００２８】
図３に示すように、固定板７には、便器側操作孔１３Ａと、手洗い器側操作孔１４と、手洗い口１５と、ペーパー引出口２０が形成されている。
【００２９】
便器側操作孔１３Ａは、便器側操作ボタン１１Ａが挿通可能に形成され、この便器側操作ボタン１１Ａを固定板７の表面から突出させている。便器側操作孔１３Ａ（及び便器側操作ボタン１４）は、本実施の形態では、使用者が便器に座った状態で手が届き易いように固定板７の下方に形成されている。
【００３０】
手洗い器側操作孔１４は、手洗い器側操作ボタン１２が挿通可能に形成され、この手洗い器側操作ボタン１２を固定板７の表面から突出させている。
【００３１】
手洗い口１５は、ケース２の内部に設けられている前記手洗い器５の手洗い部５ａと略同等の位置となる固定板７の右方中央に位置し、この手洗い部５ａに手を差し入れられるように、手洗い部５ａと略同等の形状に開口形成されている。
【００３２】
ペーパー引出口２０は、水平方向に長いスリット状に形成されている。ペーパー引出口２０は、固定板７の表面において、前記したペーパーホルダー１９と対応する位置に形成されている。ペーパーホルダー１９に設置されたロールペーパーは、このロールペーパーを引き出すために固定板７の表面を屈曲形成されたガイド部２１に沿ってペーパー引出口２０からトイレ室内側へ出される。なお、ペーパー引出口からは、ロールペーパー本体を取り出すことができないようになっている。
【００３３】
図４及び図５に示すように、開閉板８には、便器側操作孔１３Ｂが形成されている。また、開閉板８には、施錠装置１６が設けられている。
【００３４】
便器側操作孔１３Ｂは、便器側操作ボタン１１Ｂが挿通可能に形成され、この便器側操作ボタン１１Ｂを開閉板８の表面から突出させている。なお、固定板７側に設けられている便器側操作孔１３Ａ（及び便器側操作ボタン１１Ａ）は、使用者に便利なように低い位置の形成されているが、この開閉板８側の便器側操作孔１３Ｂ（及び便器側操作ボタン１１Ｂ）は、室外となる廊下側で管理者が押動操作するため特に低い位置に形成される必要はない。
【００３５】
施錠装置１６は、鍵付平面ハンドルで構成されている。この施錠装置１６としての鍵付平面ハンドルは、開閉板８の閉鎖時には同一面上に収まっている。そして、開閉板８を開放させる際に、図５に示すように、ハンドル１７を突出させる。
【００３６】
本実施の形態の手洗いユニット１では、安全と破壊防止のために、手洗い器，水道管，排水管などがトイレ内壁面に露出しなように設けられる。
【００３７】
この手洗いユニット１は、ケース２がトイレ内壁Ａと同等の厚みを有し、トイレ内壁面及び外壁面とケース２の固定板７及び開閉板８とがそれぞれ略同等の面となるようにトイレ内壁Ａに埋め込んで設置される。
【００３８】
本実施の形態の手洗いユニット１の使用方法について説明する。
まず、使用者は便器で用便後、固定板７に設けられている便器側操作ボタン１１Ａを押動操作させる。すると、便器側バルブ９が開いて水道源側管路Ｗに連なる一次配管３から二次配管４へ一気に多量の水が便器側管路Ｔに流れる。そして、便器側管路Ｔの水は便器へと流れて排泄物を下水へ流す。その後、使用者は手洗い器側操作ボタン１２を押動操作させる。この操作によって、手洗い器側バルブ１０が開いて一次配管３から導水管１９を介して手洗い器５へと水が流れる。その水で使用者は手を洗浄する。
【００３９】
また、使用者は用便後、便器に排泄物を放置したままにすることがある。このとき、管理者が廊下側の壁面に表出している開閉板８側の便器側操作ボタン１１Ｂを押動操作させて、トイレ室内の便器の排泄物を下水へ流してやる。さらに、使用者が故意に手洗い器５及び便器の水を流し続けることがある。このとき、管理者は廊下側から開閉板８を開けて手動バルブ２３を閉じて、トイレ室内の手洗い器５及び便器の水を止める。また、管理者は廊下側からペーパーホルダー１９のロールペーパーの補充などを行う。さらに、管理者は廊下側から手洗いユニット１内の清掃及び保守管理を行う。
【００４０】
この実施の形態によれば、一次配管３，二次配管４，手洗い器５，ペーパーホルダーなど手洗い装置を構成する主要部が箱型のケース２内に収まっていることによって手洗い装置をユニット化することが可能となる。また、この手洗いユニット１をトイレ内壁Ａに埋め込むことによって一次配管３，二次配管４，手洗い器，ペーパーホルダーなどをトイレ内壁面に露出させることなく手洗いユニット１をトイレ室内に設置させることができる。これにより、配管３，４，手洗い器５などが取り外されたり破壊されたりすることを防止できる。
【００４１】
手洗いユニット１に手洗い器側操作ボタン１２と便器側操作ボタン１１Ａ，１１Ｂとをそれぞれ設けることによって手洗い器５と便器とに別々に水を流すことが可能となる。これにより、不要な放水を抑えることができ、節水性の向上が可能となる。
【００４２】
手洗いユニット１に手洗い器側バルブ１０と便器側バルブ９とを設けることで、手洗い器５への給水量と便器側管路Ｔへの給水量とをそれぞれ調節することができる。したがって、手洗い器５と便器とのそれぞれに適当な水勢の水を供給することが可能となる。
特に、導水管が一次配管に接続されていることにより、手洗い器５は上流側となる水道源側管路Ｗから給水されることとなり、これにより、手洗い器５に適当な水勢の水を供給することが可能となる。したがって、手洗い器５の吐水が脆弱になることを防止できる。
【００４３】
開閉板８が設けられるとによってケース２内の清掃及び保守管理，ロールペーパーの補充などを容易に行うことが可能となる。また、これらのことを廊下側から行うことが可能となる。さらに、開閉板８側に便器側操作ボタン１１Ｂを設けることによってトイレ室内側と廊下側とのどちらからでも便器に水を流すことが可能となる。
【図面の簡単な説明】
【００４４】
【図１】本発明の手洗いユニットの一実施の形態の外観及び内部を示す斜視図である。
【図２】本発明の手洗いユニットの一実施の形態の配管図である。
【図３】本発明の手洗いユニットの一実施の形態の室内側からの斜視図である。
【図４】本発明の手洗いユニットの一実施の形態の室外側からの斜視図である。
【図５】図５における開閉板を開けた状態を示す部分斜視図である。
【符号の説明】
【００４５】
１…手洗いユニット
２…ケース
３…一次配管
４…二次配管
５…手洗い器
６…導水管
７…固定板
８…開閉板
９…便器側バルブ
１０…手洗い器側バルブ
１１Ａ，１１Ｂ…便器側操作ボタン
１２…手洗い器側操作ボタン
１３Ａ，１３Ｂ…便器側操作孔
１４…手洗い器側操作孔
１５…手洗い口
１６…施錠装置
１９…ペーパーホルダー
２０…ペーパー引出口
Ｗ…水道源側管路
Ｔ…便器側管路
【図１】
2005160509.tif 000003
【図２】
2005160509.tif 000004
【図３】
2005160509.tif 000005
【図４】
2005160509.tif 000006
【図５】
2005160509.tif 000007